(57)【要約】      （修正有）【課題】使い捨てライターのガスが入っているプラスチックタンク外側に広告主のロゴ、キャラクターの図柄模様のみでなく、ＱＲコード（登録商標）、コメント等も掲載したシールを巻き付け、あるいは直接印刷したライターにすることにより、優れた宣伝効果をもったライターを提供する。【解決手段】ＱＲコード（登録商標）を掲載する事により携帯電話で手軽に広告主のホームページを観覧でき、さらにコメント等を掲載する事で身近に感じてもらう。【選択図】図３
0003135060.tif 000002
【実用新案登録請求の範囲】
【請求項１】
裏面に粘着部を有するシールの表に広告主のロゴ、キャラクターの図柄模様、ＱＲコード、コメント等を掲載し、使い捨てライターのガスが入っているプラスチックタンク外側に巻き付けた、あるいは前記広告を使い捨てライターのガスが入っているプラスチックタンクに直接印刷したことを特徴とするライター。
【考案の詳細な説明】
【技術分野】
【０００１】  本考案は広告主のロゴ、キャラクターの図柄模様、ＱＲコード、コメント等を掲載したシールを使い捨てライターのガスが入っているプラスチックタンク外側に巻き付けた、あるいは直接印刷したライターに関する。
【背景技術】
【０００２】  従来のライターによる広告はライターケースやライター包装用ケースによるものであり広告或いはロゴを掲載してあるだけであったが、本考案は広告主からのコメント、ＱＲコードを掲載し、広告主の企業内容や、サービスなどの情報を明らかにし、広告主に対する透明感をもって消費者の興味や行動意欲を高める事により宣伝効果を強化しようとしたもの。
【考案の開示】
【考案が解決しようとする課題】
【０００３】  従来のロゴ、マスコットキャラクター付きライターは、知名度の高い企業が、用いる事により宣伝の効果を高めるものであり、認知度の低い企業に対する効果は低く、情報誌、ＴＶなどによる広告では広告費などの経費に莫大な費用を必要とする事。ロゴを掲載するだけではその広告主の企業内容に透明感がなく、認知度の企業を調べるという行動も消費者には面倒であり、企業ロゴの知名度が低い場合は企業内容、サービス内容などを調べる気さえも起きない。広告主の最新の情報や店舗情報などもパソコンあるいは雑誌等で確認が必要であった。また、情報雑誌の欠点とは、分厚く、重たい事、消費者が不必要とする情報も載っている等のため持ち運びに不便である等の欠点があった。
【課題を解決するための手段】
【０００４】  所期の目的を達成するため本考案の要旨とする構成は企業が消費者に認知してもらいたい企業名、ロゴ、企業のサービス或いは最新情報をＱＲコード、ロゴ、企業の最新情報を１枚のシールに印刷しライターに巻き付け貼る。【０００５】  このように本考案のライターは情報や企業が乱立する現在で消費者が必要とする企業や情報を消費者自身が直接選ぶ際に探せ、ライターという無機質な物にインパクトと情報媒体としての価値を付帯与させたものである。
携帯電話が普及している昨今でＱＲコードを掲載する事により、手軽に広告主の情報サイトを観覧できる事より最新の情報、店舗情報を容易に野外でも調べられる事により、パソコンや雑誌による確認の手間を省く事ができる。さらに喫煙者でなくとも女性などもライターを持っているので上記ライターを広告媒体とする事で、フリーペーパーなどの分厚い本を持ち運ぶ事なく、簡易に携帯できる点で優れている。
また、コメント等を掲載する事で企業の透明感を保ち、最新の話題を企業自らが消費者に直接、文字で伝えられる事で企業を身近に感じられる。これにより上記の問題を解決するものである。
本考案を企業側が利用すると、安価な広告費で長い間ライターを通じ消費者は広告及び情報を持ち、使用する事で、消費者自身を広告媒体となる事のメリットも兼ね揃える。
【考案を実施するための最良の形態】
【０００６】  図に示すように、市販の使い捨てライターのガスが入っているプラスチックタンク外側に広告主のロゴ、キャラクターの図柄模様、ＱＲコード、コメント等を掲載したシールを貼り付ける、あるいは直接印刷したもの。
【考案の効果】
【０００７】  本考案に係るライターは、広告主のロゴ、キャラクター図柄模様に加えて、ＱＲコード、コメント等を掲載することにより宣伝効果を高め、直接印刷した場合は、宣伝効果に加えて、シールが剥がれ落ちることがないという点で優れている。
【図面の簡単な説明】
【０００８】
【図１】本考案例で使用する装飾体の取り付けを示す説明図である。
【図２】［図１］の反対側であり、本考案で使用する装飾体の取り付けを示す説明図である。
【図３】本考案に係るライターの実施例を示す斜視図である。
【図４】［図３］の反対側であり、本考案に係るライターの実用例を示す斜視図である。
【符号の説明】
【０００９】Ａ：ロゴ
Ｂ：ライターに巻き付けるシール
Ｃ：ライター本体
Ｄ：ＱＲコード
Ｅ：コメント
【図１】
0003135060.tif 000003
【図２】
0003135060.tif 000004
【図３】
0003135060.tif 000005
【図４】
0003135060.tif 000006
【手続補正書】
【提出日】平成19年6月1日(2007.6.1)
【手続補正１】
【補正対象書類名】実用新案登録請求の範囲
【補正対象項目名】全文
【補正方法】変更
【補正の内容】
【実用新案登録請求の範囲】
【請求項１】
裏面に粘着部を有するシールの表に広告主のロゴ、キャラクターの図柄模様、ＱＲコード（登録商標）、コメント等を掲載し、使い捨てライターのガスが入っているプラスチックタンク外側に巻き付けた、あるいは前記広告を使い捨てライターのガスが入っているプラスチックタンクに直接印刷したことを特徴とするライター。
【手続補正２】
【補正対象書類名】明細書
【補正対象項目名】全文
【補正方法】変更
【補正の内容】
【考案の詳細な説明】
【技術分野】
【０００１】  本考案は広告主のロゴ、キャラクターの図柄模様、ＱＲコード（登録商標）、コメント等を掲載したシールを使い捨てライターのガスが入っているプラスチックタンク外側に巻き付けた、あるいは直接印刷したライターに関する。
【背景技術】
【０００２】  従来のライターによる広告はライターケースやライター包装用ケースによるものであり広告或いはロゴを掲載してあるだけであったが、本考案は広告主からのコメント、ＱＲコード（登録商標）を掲載し、広告主の企業内容や、サービスなどの情報を明らかにし、広告主に対する透明感をもって消費者の興味や行動意欲を高める事により宣伝効果を強化しようとしたもの。
【考案の開示】
【考案が解決しようとする課題】
【０００３】  従来のロゴ、マスコットキャラクター付きライターは、知名度の高い企業が、用いる事により宣伝の効果を高めるものであり、認知度の低い企業に対する効果は低く、情報誌、ＴＶなどによる広告では広告費などの経費に莫大な費用を必要とする事。ロゴを掲載するだけではその広告主の企業内容に透明感がなく、認知度の企業を調べるという行動も消費者には面倒であり、企業ロゴの知名度が低い場合は企業内容、サービス内容などを調べる気さえも起きない。広告主の最新の情報や店舗情報などもパソコンあるいは雑誌等で確認が必要であった。また、情報雑誌の欠点とは、分厚く、重たい事、消費者が不必要とする情報も載っている等のため持ち運びに不便である等の欠点があった。
【課題を解決するための手段】
【０００４】  所期の目的を達成するため本考案の要旨とする構成は企業が消費者に認知してもらいたい企業名、ロゴ、企業のサービス或いは最新情報をＱＲコード（登録商標）、ロゴ、企業の最新情報を１枚のシールに印刷しライターに巻き付け貼る。【０００５】  このように本考案のライターは情報や企業が乱立する現在で消費者が必要とする企業や情報を消費者自身が直接選ぶ際に探せ、ライターという無機質な物にインパクトと情報媒体としての価値を付帯与させたものである。
携帯電話が普及している昨今でＱＲコード（登録商標）を掲載する事により、手軽に広告主の情報サイトを観覧できる事より最新の情報、店舗情報を容易に野外でも調べられる事により、パソコンや雑誌による確認の手間を省く事ができる。さらに喫煙者でなくとも女性などもライターを持っているので上記ライターを広告媒体とする事で、フリーペーパーなどの分厚い本を持ち運ぶ事なく、簡易に携帯できる点で優れている。
また、コメント等を掲載する事で企業の透明感を保ち、最新の話題を企業自らが消費者に直接、文字で伝えられる事で企業を身近に感じられる。これにより上記の問題を解決するものである。
本考案を企業側が利用すると、安価な広告費で長い間ライターを通じ消費者は広告及び情報を持ち、使用する事で、消費者自身を広告媒体となる事のメリットも兼ね揃える。
【考案を実施するための最良の形態】
【０００６】  図に示すように、市販の使い捨てライターのガスが入っているプラスチックタンク外側に広告主のロゴ、キャラクターの図柄模様、ＱＲコード（登録商標）、コメント等を掲載したシールを貼り付ける、あるいは直接印刷したもの。
【考案の効果】
【０００７】  本考案に係るライターは、広告主のロゴ、キャラクター図柄模様に加えて、ＱＲコード（登録商標）、コメント等を掲載することにより宣伝効果を高め、直接印刷した場合は、宣伝効果に加えて、シールが剥がれ落ちることがないという点で優れている。
【図面の簡単な説明】
【０００８】
【図１】本考案例で使用する装飾体の取り付けを示す説明図である。
【図２】［図１］の反対側であり、本考案で使用する装飾体の取り付けを示す説明図である。
【図３】本考案に係るライターの実施例を示す斜視図である。
【図４】［図３］の反対側であり、本考案に係るライターの実用例を示す斜視図である。
【符号の説明】
【０００９】Ａ：ロゴ
Ｂ：ライターに巻き付けるシール
Ｃ：ライター本体
Ｄ：ＱＲコード（登録商標）
Ｅ：コメント